(57)【特許請求の範囲】
【請求項１】
外部から少なくともＯＮ指令またはＯＦＦ指令の人力を受けるインターフェイス部と、
ネットワーク上に接続されたホスト手段と、
所定の動作を行うサービス部と、
少なくとも前記ホスト手段および前記サービス部に電力を供給する電源と、
前記ホスト手段および前記サービス部への電力供給の状態を制御する電力供給制御手段と、
前記ホスト手段の動作を予約する予約動作設定手段を備え、
前記ホスト手段および前記サービス部への電力供給がＯＮ状態であるときに前記インターフェイス部がＯＦＦ指令の入力を受けた場合、前記インターフェイス部は、前記電力供給制御手段により前記サービス部への電力供給をＯＦＦ状態とさせるとともに、前記ホスト手段の動作状態を調べ、前記ホスト手段が動作している場合には、前記電力供給制御手段により前記ホスト手段への電力供給をＯＮ状態のまま保ち、
前記インターフェイス部がＯＦＦ指令の入力を受けた場合、前記インターフェイス部は、前記ホスト手段の動作状態および前記予約動作設定手段の予約状態を調べ、
前記ホスト手段が動作しておらず、かつ前記予約動作設定手段に予約がされている場合、前記電力供給制御手段により、前記ホスト手段への電力供給をスタンバイ状態とさせ、
前記ホスト手段が動作しておらず、かつ前記予約動作設定手段に予約がされていない場合、前記電力供給制御手段により、前記ホスト手段ヘの電力供給をＯＦＦ状態とさせることを特徴とする管理装置。
【請求項２】
前記インターフェイス部が、前記ホスト手段の動作が終了したことを確認した場合は、前記電力供給制御手段により前記ホスト手段への電力供給をＯＦＦ状態とさせることを特徴とする請求項１に記載の管理装置。
【請求項３】
前記インターフェイス部は、更にスタンバイ指令の入力を受け付けることが可能であり、
前記ホスト手段および前記サービス部への電力供給がＯＮ状態であるときに前記インターフェイス部がスタンバイ指令の入力を受けた場合、前記インターフェイス部は、前記電力供給制御手段により、前記サービス部の電力供給をスタンバイ状態とさせるとともに、前記ホスト手段の動作状態を調べ、
前記ホスト手段が動作している場合、前記電力供給制御手段により、前記ホスト手段への電力供給をＯＮ状態とし、
前記ホスト手段が動作していない場合、前記電力供給制御手段により、前記サービス部および前記ホスト手段への電力供給をスタンバイ状態とさせることを特徴とする請水項１に記載の管理装置。
【請求項４】
前記インターフェイス部が、前記ホスト手段の動作が終了したことを確認した場合は、前記電力供給制御手段により前記ホスト手段への電力供給をスタンバイ状態とさせることを特徴とする請求項３に記載の管理装置。
【請求項５】
前記ホスト手段の動作を予約する予約動作設定手段を更に備え、
前記予約動作設定手段に設定された予約時刻となった場合、または前記インターフェイス部がスタンバイ指令を解除する命令を受けた場合に、前記電力供給制御手段により、前記ホスト手段への電源供給をＯＮ状態とさせることを特徴とする請求項３に記載の管理装置。
【請求項６】
前記インターフェイス部はＯＮ指令の入力を受けた場合、前記電力制御手段により前記サービス部および前記ホスト手段への電力供給状態をＯＮ状態とさせることを特徴とする請求項１または２に記載の管理装置。
【請求項７】
前記インターフェイス部はスタンバイ解除指令の入力を受けた場合、前記電力制御手段により前記サービス部および前記ホスト手段への電力供給状態をＯＮ状態とさせることを特徴とする請求項３または４に記載の管理装置。
【発明の詳細な説明】
【０００１】
【発明の属する技術分野】
本発明は、ネットワーク上に接続された機器を制御、および監視する動作を活かすことができるように電力制御を行う管理装置等に関するものである。
【０００２】
【従来の技術】
近年、ネットワーク上に、コンピュータおよびその周辺機器のみならず、例えば家庭用として、家電やオーディオ、ＶＴＲといった複数の機器をネットワーク上に接続して制御、管理するようなシステムの提案がなされている。このようなシステムは、例えば、ホスト機能を有しネットワーク上に接続された他の機器を制御するホスト機器と、ホスト機器の制御対象となるターゲット機器とから構成されている。
【０００３】
図５は、従来の技術によるホスト機器の構成図である。図において、５０１はホスト機器、５０２は図示しない外部のターゲット機器と接続するためのネットワーク、５１１はインターフェイス部、ホスト機器５０１固有の動作を行う５１２はサービス部、５１３は予約動作を行うためのタイマー部、５２２は通信、制御その他ネットワーク機能を有するホスト部、５２４はネットワーク５１２を介して入力してきたターゲット機器からのコマンドその他の情報を記録するための記憶部、５２５は電源監視部、５２６は電源、５２７は通信部である。ここで電源監視部５２５および電源５２６は、サービス部５１２とホスト部５２２の両方が共用してそれぞれ電力の供給を受けている手段である。
【０００４】
以上のような構成を有する、従来の技術によるホスト機器５０１は、サービス部５１２が機器固有のサービス動作を行う一方で、ホスト部５２２は、ネットワーク５０２のホストとして、ネットワーク５０２に接続されたターゲット機器の制御や監視を行うようにしている。また、ホスト部５２２は、タイマー部５１３に設定された予約時刻に基づき動作することも可能である。
【０００５】
このとき、ホスト機器５０１においては、ホスト部５２２が機器の中心機能として位置付けられており、サービス部５１２は特に必要性の高くないものとして付加的に位置付けている構成としたものもある。つまり、サービス部５１２とホスト部５２２とは、電源５２６および電源監視部５２５から見て同等に位置づけられており、電源監視部５２５の監視する対象として、両者は明確な区別を持たない。
【０００６】
しかしながら、このような構成を有する従来のホスト機器５０１は、次の様なユーザに不便さを与えることがあった。
【０００７】
図６は、ホスト機器５０１の動作を説明するための電力制御状態遷移図である。図６に示すように、ホスト機器５０１が動作中（モード６０１）に対し、もし、ユーザが機器５０１の電力状態をＯＦＦとする指示６１５を出した場合、電源監視部５２５および電源５２６はサービス部５１２とホスト部５２２とで共用されているため、一度の電源ＯＦＦの指示で、サービス部５１２およびホスト部５２２は完全に電源がＯＦＦとなる（モード６０４）。
【０００８】
このとき、たとえユーザが、サービス部５１２のみの停止を意図して指示６１５を出していたとしても、その時点でホスト部５２２も同時に停止するため、仮に、指示６１５が出された時点で、ホスト部５２２がネットワーク５０２に接続されているターゲット機器を制御している場合、ホスト部５２２の停止により、それらターゲット機器の制御が停止してしまい、ネットワーク５０２に接続されているほかのターゲット機器に対して影響を与える可能性がある。
【０００９】
したがって、ネットワークを構築したシステムにおいて、サービス部５１２とと併せてホスト部５２２のようなホスト機能をもつホスト機器５０１の電力状態をＯＦＦ状態６０４にすることはできず、また望ましい動作でもないため、サービス部５１２を有するホスト機器は、該サービス部の動作がユーザの意図通りに行えないという問題がある。同様の問題は、インターフェイス部５１１あるいはインターフェイス部５２１が、例えばリモートコントローラによる制御のように、電源５２６にスタンバイ機能を持たせる場合にも生じる。
【００１０】
このような問題を回避するためには、図７に示すホスト機器７０１のように、サービス部７１２とホスト部７２２がそれぞれ独立にインターフェイス部７１１および７２１、電源監視部７１５および７２５，電源７１６および７２６等を持たせた構成として、サービス部とホスト部とで独立的にインターフェイス部からの入力を受け付けるようにして、電力供給状態の制御を行わざるを得なかった。ここで図８はホスト機器７０１を用いた場合の電力制御状態遷移図であり、図に示すように、ホスト部７２２の動作モード８０１および停止モード８０２と、サービス部７１２の動作モード８０３および停止モード８０４とは互いに独立しており、ユーザは、インターフェイス部７１１およびインターフェイス部７２１を用いて、ホスト部７２２およびサービス部７１２のそれぞれに対し、独立して制御を行う必要がある。
【００１１】
【発明が解決しようとする課題】
以上説明したように、前記従来技術によれば、その機器固有のサービス機能とホスト機能とをあわせて持ち合わせるホスト機器５０１では、双方の機能であるサービス部とホスト部とに供給させる電力を制御するインターフェイス部等の手段が共通のものであるため、ネットワークと接続したホスト機能を持ち合わせる機器の電力状態をＯＦＦにすることは望ましいものではない以上、ユーザはサービス機能の制御が実質的にできなくなっていた。
【００１２】
また、ホスト機器７０１のように、サービス機能とホスト機能とを複合した機能を持たせるために、それぞれの機能であるサービス部とホスト部とが独立した構成を有し、ユーザが、各機能に対し電力の供給状態を制御するための手段を、該機能毎に複数持たせることは、ホスト機能の動作を停止することなくサービス機能の制御ができるが、ホスト機器全体の構成および操作が複雑になるとともに、消費電力の大きい低能率の動作を行わせるものであった。
【００１３】
本発明は、上記の課題に鑑みてなされたものであり、ネットワークに対し動作を行うホスト機能と、他の動作を行うサービス機能とをもつ機器において、ユーザが直接的に操作できる、電力供給の状態を切りかえる手段は、従来の１つのままでありながら、ホスト機能とサービス機能とで個別に電力供給の状態の制御を行い、ネットワーク接続されている他の機器に対しての制御および監視動作を最大限に活用すると共に、無駄な電力消費を押さえることのできる管理装置等を提供するものである。
【課題を解決するための手段】
上記の目的を達成するために、第１の本発明（請求項１に対応）は、外部から少なくともＯＮ指令またはＯＦＦ指令の入力を受けるインターフェイス部と、
ネットワーク上に接続されたホスト手段と、
所定の動作を行うサービス部と、
少なくとも前記ホスト手段および前記サービス部に電力を供給する電源と、
前記ホスト手段および前記サービス部への電力供給の状態を制御する電力供給制御手段と、                                              前記ホスト手段の動作を予約する予約動作設定手段とを備え、
前記ホスト手段および前記サービス部への電力供給がＯＮ状態であるときに前記インターフェイス部がＯＦＦ指令の入力を受けた場合、前記インターフェイス部は、前記電力供給制御手段により前記サービス部への電力供給をＯＦＦ状態とさせるとともに、前記ホスト手段の動作状態を調べ、前記ホスト手段が動作している場合には、前記電力供給制御手段により前記ホスト手段への電力供給をＯＮ状態のまま保ち、
前記インターフェイス部がＯＦＦ指令の入力を受けた場合、前記インターフェイス部は、前記ホスト手段の動作状態および前記予約動作設定手段の予約状態を調べ、
前記ホスト手段が動作しておらず、かつ前記予約動作設定手段に予約がされている場合、前記電力供給制御手段により、前記ホスト手段への電力供給をスタンバイ状態とさせ、
前記ホスト手段が動作しておらず、かつ前記予約動作設定手段に予約がされていない場合、前記電力供給制御手段により、前記ホスト手段ヘの電力供給をＯＦＦ状態とさせることを特徴とする。
【００１４】
また、第２の本発明（請求項２に対応）は、前記インターフェイス部が、前記ホスト手段の動作が終了したことを確認した場合は、前記電力供給制御手段により前記ホスト手段への電力供給をＯＦＦ状態とさせることを特徴とする上記本発明である。
【００１５】
また、第３の本発明（請求項３に対応）は、前記インターフェイス部は、更にスタンバイ指令の入力を受け付けることが可能であり、
前記ホスト手段および前記サービス部への電力供給がＯＮ状態であるときに前記インターフェイス部がスタンバイ指令の入力を受けた場合、前記インターフェイス部は、前記電力供給制御手段により、前記サービス部の電力供給をスタンバイ状態とさせるとともに、前記ホスト手段の動作状態を調べ、
前記ホスト手段が動作している場合、前記電力供給制御手段により、前記ホスト手段への電力供給をＯＮ状態とし、
前記ホスト手段が動作していない場合、前記電力供給制御手段により、前記サービス部および前記ホスト手段への電力供給をスタンバイ状態とさせることを特徴とする上記本発明である。
【００１６】
また、第４の本発明（請求項４に対応）は、前記インターフェイス部が、前記ホスト手段の動作が終了したことを確認した場合は、前記電力供給制御手段により前記ホスト手段への電力供給をスタンバイ状態とさせることを特徴とする上記本発明である。
【００１７】
また、第５の本発明（請求項５に対応）は、前記ホスト手段の動作を予約する予約動作設定手段を更に備え、
前記予約動作設定手段に設定された予約時刻となった場合、または前記インターフェイス部がスタンバイ指令を解除する命令を受けた場合に、前記電力供給制御手段により、前記ホスト手段への電源供給をＯＮ状態とさせることを特徴とする上記本発明である。
【００１８】
また、第６の本発明（請求項６に対応）は、前記インターフェイス部はＯＮ指令の入力を受けた場合、前記電力制御手段により前記サービス部および前記ホスト手段への電力供給状態をＯＮ状態とさせることを特徴とする上記本発明である。
【００１９】
また、第７の本発明（請求項７に対応）は、前記インターフェイス部はスタンバイ解除指令の入力を受けた場合、前記電力制御手段により前記サービス部および前記ホスト手段への電力供給状態をＯＮ状態とさせることを特徴とする上記本発明である。
【００２２】
以上のような構成としたことにより、ネットワーク接続されている他の機器に対しての制御および監視動作を最大限に活用すると共に、無駄な電力消費を押さえることができる。
【００２３】
例えば本発明の省電力スイッチ方法では、ユーザが直接的に操作できる電源状態を切りかえる装置は、従来の１つのままで、ホスト機能と機器固有のサービ多機能とを個別に電源管理をするために、ＯＮまたはＯＦＦの２つの状態より多くの状態を持たせる構成とした。
【００２４】
さらに、上記の本発明を用いることにより、
前記サービス部および前記ホスト手段への電力供給がＯＮ状態である通常モードにあり、かつ、前記インターフェイス部が、該管理装置をＯＦＦ状態にする指令を受けた場合、
前記インターフェイス部は、前記サービス部に動作を停止する命令を送るとともに、前記ホスト手段にその動作状態をチェックする命令を送るステップと、
前記ホスト手段が、前記ネットワークに対する動作を行っている場合、
前記電力供給制御手段は、前記サービス部への電力供給をＯＦＦ状態とする、第１の待機モード（ホストモード）に遷移するステップとを含むことを特徴とする省電力スイッチ方法が得られる。
【００２５】
また、上記の本発明を用いることにより、上記の省電力スイッチ方法の前記ホストモードにおいて、前記ホスト手段が前記ネットワークに対する動作を行っておらず、かつ前記予約動作設定手段に予約がされていない場合は、
前記電力供給制御手段は、前記サービス部および前記ホスト手段への電力供給をいずれもＯＦＦ状態とする、第２の待機モード（ダウンモード）に遷移するステップを含むことを特徴とする省電力スイッチ方法が得られる。
【００２６】
また、上記の本発明を用いることにより、上記の省電力スイッチ方法の前記ホストモードにおいて、前記インターフェイス部が、前記管理装置の電力状態をＯＮ状態にする指令の入力を受けたときは、
前記電力供給制御手段は、前記サービス部の電力供給の状態をＯＮにし、
前記インターフェイス部は前記サービス部に動作を開始する命令を送り、前記サービス部は、すでに動作しているホスト手段とともに動作する、前記通常モードに遷移するステップを含むことを特徴とする省電力スイッチ方法が得られる。
【００２７】
さらに、上記の本発明を用いることにより、
前記サービス部および前記ホスト手段への電力供給がＯＮ状態である通常モードにあり、かつ、前記インターフェイス部が、該管理装置をＯＦＦ状態にする指令を受けた場合は、
前記インターフェイス部は、前記サービス部に動作を停止する命令を送るとともに、前記ホスト手段にその動作状態をチェックする命令を送るステップと、
前記ホスト手段が、前記ネットワークに対する動作を行っておらず、かつ前記予約動作設定手段に予約がなされている場合は、
前記電力供給制御手段は、前記サービス部への電力供給をＯＦＦ状態とするとともに、前記ホスト手段への電力供給をスタンバイ状態にする、第３の待機モード（ホストスタンバイモード）に遷移するステップとを含むことを特徴とする省電力スイッチ方法が得られる。
【００２８】
また、上記の本発明を用いることにより、上記の省電力スイッチ方法の前記ホストスタンバイモードにおいて、前記予約動作設定手段になされた予約に基づき、前記ホスト手段が前記ネットワークに対する動作が開始される時刻となった場合、
前記電力供給制御手段は、前記ホスト手段への電力供給をＯＮ状態とし、かつ前記サービス部の電力状態をＯＦＦ状態に保つ、ホストモードに遷移するステップを含むことを特徴とする省電力スイッチ方法が得られる。
【００２９】
また、上記の本発明を用いることにより、上記の省電力スイッチ方法の前記ホストスタンバイモードにおいて、前記インターフェイス部が、該管理装置をＯＮ状態にする指令を受けた場合は、前記電力供給制御手段は、前記ホスト手段および前記サービス部への電力供給をいずれもＯＮ状態とし、前記サービス部は前記インターフェイス部からのコマンドにより動作を行う、前記通常モードに遷移するステップを含むことを特徴とする省電力スイッチ方法が得られる。
【００３０】
さらに、上記の本発明を用いることにより、
前記サービス部および前記ホスト手段への電力供給がＯＮ状態である通常モードにあり、かつ、前記インターフェイス部が、前記管理装置をＯＦＦ状態にする指令を受けた場合は、
前記インターフェイス部は、前記サービス部の動作を停止させるとともに、前記ホスト手段に対しその動作状態をチェックする命令を送るステップと、
前記ホスト手段が前記ネットワークに対する動作を行っておらず、かつ、前記ネットワーク情報保持手段がネットワーク予約情報を保持していない場合は、
前記電力供給制御手段は、前記ホスト手段および前記サービス部への電力供給を、いずれもＯＦＦ状態とする、ダウンモードに遷移するステップとを含むことを特徴とする省電力スイッチ方法が得られる。
【００３１】
また、上記の本発明を用いることにより、上記の省電力スイッチ方法の前記ダウンモードにおいて、前記インターフェイス部が、該管理装置をＯＮ状態にする指令を受けた場合は、
前記電力供給制御手段が前記サービス部への電力供給をＯＮ状態とするとともに、前記インターフェイス部は前記サービス部を動作させるとともに、前記ホスト手段に前記ネットワークに対する動作を行わせる、前記通常モードに遷移するステップを含むことを特徴とする省電力スイッチ方法が得られる。
【００３２】
さらに、上記の本発明を用いることにより、
前記サービス部および前記ホスト手段への電力供給がＯＮ状態である通常モードにあり、かつ、前記インターフェイス部が、前記管理装置をスタンバイの状態にする指令を受けた場合は、
前記インターフェイス部は、前記サービス部に動作を停止する命令を送るとともに、前記ホスト手段に対しその動作状態をチェックする命令を送るステップと、
前記ホスト手段が前記ネットワークに対する動作を行っていることを確認した場合は、前記電力供給制御手段は、前記ホスト手段への電力供給をＯＮ状態とするとともに、前記サービス部への電力供給をスタンバイ状態にする、第４の待機モード（サービススタンバイモード）に遷移するステップとを含むことを特徴とする省電力スイッチ方法が得られる。  また、上記の本発明を用いることにより、上記の省電力スイッチ方法の前記サービススタンバイモードにおいて、前記インターフェイス部が、前記管理装置をＯＦＦ状態にする指令の入力を受けたときは、
前記インターフェイス部は前記サービス部に動作を停止する命令を送るとともに、前記ホスト手段に電力供給の状態をチェックする命令を送るステップと、
前記ホスト手段が、前記ネットワークに対する動作が行っている場合は、前記電力供給制御手段は前記サービス部の電源だけをＯＦＦ状態とする、ホストモードに遷移するステップとを含むことを特徴とする省電力スイッチ方法が得られる。
【００３３】
また、上記の本発明を用いることにより、上記の省電力スイッチ方法の前記サービススタンバイモードにおいて、前記インターフェイス部が、前記管理装置をスタンバイ解除の状態にする指令の入力を受けた場合は、
前記インターフェイス部は、前記サービス部に動作を開始する命令を送るステップと、
前記電力供給制御手段は、前記ホスト手段および前記サービス部への電力供給をいずれもＯＮ状態とする、前記通常モードに遷移するステップとを含むことを特徴とする省電力スイッチ方法が得られる。
【００３４】
さらに、上記の本発明を用いることにより、
前記サービス部および前記ホスト手段への電力供給がＯＮ状態である通常モードであり、かつ、前記インターフェイス部が、前記管理装置をスタンバイ状態にする指令を受けた場合は、
前記インターフェイス部は、前記サービス部に対しその動作を停止する命令を送るとともに、前記ホスト手段に動作状態をチェックする命令を送るステップと、
前記ホスト手段が、前記ネットワークに対する動作を行っておらず、かつ前記予約動作設定手段に予約がなされている場合は、前記電力供給制御手段は、前記ホスト手段および前記サービス部への電力供給をいずれもスタンバイ状態にする、ダブルスタンバイモードに遷移するステップを含むことを特徴とする省電力スイッチ方法が得られる。
【００３５】
また、上記の本発明を用いることにより、上記の省電力スイッチ方法の前記ダブルスタンバイモードにおいて、
前記予約動作設定手段になされた予約に基づき、前記電力供給制御手段が前記ホスト手段への電力供給をＯＮ状態にしたときは、
前記電力供給制御手段は、前記ホスト手段への電力供給をＯＮ状態とするとともに、前記ホスト手段は、前記ネットワークに対する動作を開始する、サービススタンバイモードに遷移するステップを含むことを特徴とする省電力スイッチ方法が得られる。
【００３６】
また、上記の本発明を用いることにより、上記の省電力スイッチ方法の前記ダブルスタンバイモードにおいて、
前記インターフェイス部が、前記管理装置をスタンバイ解除の状態にする指令を受けた場合は、前記インターフェイス部は前記サービス部に動作を開始する命令を送るとともに、前記ホスト手段および前記サービス部への電力供給をいずれもＯＮ状態にして、前記通常モードに遷移するステップを含むことを特徴とする省電力スイッチ方法が得られる。
【００３７】
また、上記の本発明を用いることにより、上記の省電力スイッチ方法の前記ダブルスタンバイモードにおいて、
前記インターフェイス部が前記管理装置をＯＦＦ状態にする指令を受けた場合は、前記インターフェイス部は前記サービス部に動作を停止する命令を送るとともに、前記電力供給制御手段は、前記サービス部への電力供給をＯＦＦ状態にする、ホストスタンバイモードに遷移するステップを含むことを特徴とする省電力スイッチ方法が得られる。
【００３８】
【発明の実施の形態】
以下、本発明の実施の形態について説明する。
（実施の形態１）
図１は、本発明の実施の形態１によるホスト機器の構成図である。図において、１０１はホスト機器、１０２は図示しない外部のターゲット機器と接続するためのネットワーク、１０３はインターフェイス部、１０４はホスト機器固有の動作を行うサービス部、１０５は通信、制御その他ネットワーク機能を有するホスト部、１０６はサービス部１０４およびホスト部１０５の電源状態を監視および制御する電源監視部、１０７はホスト部１０５、電源監視部１０６および記憶部１０８と接続したタイマー部、１０８はネットワーク５１２を介して入力してきたターゲット機器からのコマンドその他の情報を記録するための記憶部、１０９はネットワーク１０２と接続した、図示しないターゲット機器と通信を行うための通信部、１１０は電源である。ただし上記の各部に関し、インターフェイス部１０３と、タイマー部１０７と、記憶部１０８と、通信部１０９に対しては、電源１１０あるいは、他の任意の方法で電力の供給を受けることができる。ユーザが電源状態を変更することができるのは、インターフェイス部３０３を介してであり、インターフェイス部３０３は、ホスト機器１０１一台につき１基のみ具備している。
【００３９】
なお、上記の構成において、ホスト機器１０１は本発明の管理装置の一例であり、ホスト部１０５および通信部１０９は本発明のホスト手段の一例であり、電源監視部１０６は本発明の電力供給制御手段の一例であり、タイマー部１０７および記憶部１０８は本発明の予約動作設定手段の一例である。
【００４０】
次に、図２は、本実施の形態１の動作における電力制御状態遷移図である。この２つの図を用いて、本実施の形態によるホスト機器の動作を、各モードと、各モード間の状態遷移の条件を参照しながら説明するとともに、本発明を用いた省電力スイッチ方法について説明する。
【００４１】
はじめに、図２に示す通常モード２０１では、ホスト機器１０１においては、サービス部１０４とホスト部１０５とは、電源監視部１０６を介して電源１１０から電力供給を受けており、両者の電源はいずれもＯＮ状態にあり、それぞれ所定の動作を行っているものである。
【００４２】
次に、ユーザがインターフェイス部１０３を通して、ホスト機器１０１の電力状態をＯＦＦ状態にする指令を行ったとき、インターフェイス部１０３は、サービス部１０４にサービスの停止の命令を送り、それを受けたサービス部１０４はサービスを停止する。さらにサービス部１０４は、電源監視部１０６にサービスを停止した命令を送り、それを受けた電源監視部１０６は、サービス部１０４に対する電力供給を停止し、サービス部１０４への電源をＯＦＦ状態にする。
【００４３】
一方、インターフェイス部１０３は、ホスト部１０５にホスト動作受付を中止する命令を送り、それを受けたホスト部１０５は、ネットワーク１０２に接続されているターゲット機器から、新たに動作予約を受け付けないようにする。
【００４４】
さらに、インターフェイス部１０３は、ホスト部１０５に稼動状態をチェックする命令を送り、それを受けたホスト部１０５が、以下に説明する各稼働状態に応じて、モードの遷移を行う。
【００４５】
状態遷移２１１は、ホスト部１０５が、インターフェイス部１０３からチェック命令を受けた時点で、ネットワーク１０２に接続されたターゲット機器と通信を行い、該ターゲット機器を制御または監視動作をしている場合の遷移である。このとき、ホスト部１０５は、従前のまま制御または監視動作を継続する。したがって、電源監視部１０６はサービス部１０４のへの電力供給はＯＦＦ状態とする一方で、ホスト部への電力供給はＯＮ状態のままに保つようにする。このときのサービス部１０４およびホスト部１０５の各電力供給の状態をホストモード２０２と呼ぶ。
【００４６】
状態遷移２１３は、ホスト部１０５が、インターフェイス部１０３からチェック命令を受けた時点で、ネットワーク１０２に接続されたターゲット機器と通信を行っておらず、制御も監視動作も行っていないが、記憶部１０８には、すでに未来の制御または監視動作の予定が予約情報として記憶されている場合の遷移である。このとき、ホスト部１０５は、記憶部１０８に記憶されている予約情報にてセットされている時刻まで、ターゲット機器の制御または監視動作を停止し、電力供給の制御を電源監視部１０６に伝える。ホスト部１０５からの指示を受けた電源監視部１０６は、ホスト部１０５に対する電力供給を、すぐにホスト部１０５が動作を開始するのに十分な電力まで低減する。この時のホスト部１０５の電力供給の状態をスタンバイ状態と呼び、またサービス部１０４およびホスト部１０５の各電力供給の状態を併せてホストスタンバイモード２０３と呼ぶ。
【００４７】
状態遷移２１５は、ホスト部１０５が、インターフェイス部１０３からチェック命令を受けた時点で、ネットワーク１０２に接続されたターゲット機器と通信、制御および監視動作を行っておらず、かつ記憶部１０８に予約情報を記憶していない場合の遷移である。このとき、ホスト部１０５は、電力供給の制御を電源監視部１０６に伝える。それを受けた電源監視部１０６は、ホスト部１０５に対する電力供給を停止して、ホスト部１０５への電力供給をＯＦＦ状態にする。この段階でサービス部１０４およびホスト部１０５の両方のへの電力供給はＯＦＦ状態となっており、これらを併せてダウンモード２０４と呼ぶ。
【００４８】
次に、ホストモード２０２における制御について説明を行う。
【００４９】
ホストモード２０２は上述したように、少なくともホスト部１０５と電源監視部１０６とは電源１１０から電力供給を受けているモードである。このときホスト部１０５は、以下に説明する各稼働状態に応じて、モードの遷移を行う。
【００５０】
状態遷移２１９は、ホスト部１０５が、インターフェイス部１０３からチェック命令を受けた時点で、その動作を終了して、ネットワーク１０２に接続されたターゲット機器と通信、制御および監視動作を行っておらず、かつ記憶部１０８に予約情報を記憶していない場合の遷移であり、実質的に状態遷移２１５と同様の内容である。このとき、ホスト部１０５は、電力供給の制御を電源監視部１０６に伝える。それを受けた電源監視部１０６は、ホスト部１０５に対する電力供給を停止して、ホスト部１０５への電力供給をＯＦＦ状態にし、ダウンモード２０４へ遷移する。
【００５１】
状態遷移２１２は、ユーザがインターフェイス部１０３を通して、ホスト機器１０１への電力供給をＯＮ状態にする指令を行ったときの遷移である。このとき、インターフェイス部１０３は、電源監視部１０６にサービス部１０４に対する電力供給を開始する命令を送り、この命令を受けた電源監視部１０６は、サービス部１０４に対して電力供給を開始し、サービス部１０４への電力供給をＯＮ状態にする。さらに、インターフェイス部１０３は、サービス部１０４に対してサービス動作の開始の命令を送り、この命令を受けたサービス部１０４は、所定のサービス動作を開始する。
【００５２】
一方、ホスト部１０５は従前より動作しており、電力供給もＯＮ状態にあるので、この段階でサービス部１０４およびホスト部１０５はいずれもへの電力供給はＯＮ状態で、所定の動作を行っており、すなわち通常モード２０１に復帰したことになる。
【００５３】
次に、ホストスタンバイモード２０３における制御について説明を行う。
【００５４】
ホストスタンバイモード２０３は上述したように、少なくとも電源監視部１０６は電源１１０から電力供給を受けているとともに、ホスト部１０５は、すぐに動作を開始するのに十分な電力まで低減された状態で電力供給を受けているスタンバイ状態にあるモードである。このときホスト部１０５は、以下に説明する各稼働状態に応じて、モードの遷移を行う。
【００５５】
状態遷移２１７は、次のような稼働状態の遷移である。すなわち、タイマー部１０７は、記憶部１０８に記憶されている予約情報に設定された時刻になると、電源監視部１０６に対して、ホスト部１０５に完全な電力供給を開始するための命令を伝える。この命令を受けた電源監視部１０６は、ホスト部１０５に対して完全な電力供給を再開し、ホスト部１０５への電力供給をＯＮ状態にする。
【００５６】
さらに、タイマー部１０７は、ホスト部１０５に対して制御または監視動作を再開する命令を送り、この命令を受けたホスト部１０５は、記憶部１０８の記憶する予約情報に設定されている内容の制御または監視動作を実行する。
【００５７】
この段階で、サービス部１０４への電力供給はＯＦＦ状態のままであり、ホスト部１０５への電力供給はＯＮ状態であるから、すなわちホストモード２０２に遷移したことになる。
【００５８】
状態遷移２１４は、ユーザがインターフェイス部１０３を通して、ホスト機器１０１をＯＮ状態にする指令を行ったときの遷移である。このとき、インターフェイス部１０３は、電源監視部１０６にサービス部１０４に対する電力供給を開始する命令を伝える。この命令を受けた電源監視部１０６は、サービス部１０４に対して電力供給を開始し、サービス部１０４への電力供給をＯＮ状態にする。
【００５９】
さらに、インターフェイス部１０３は、サービス部１０４に対してサービス動作の開始の命令を送り、この命令を受けたサービス部１０４は、所定のサービス動作を開始する。
【００６０】
一方、インターフェイス部１０３は、ホスト部１０５に対して、ホスト動作受付を開始する命令を送り、それを受けたホスト部１０５は、ネットワーク１０２に接続されているターゲット機器から動作予約の受付を開始する。
【００６１】
以上の動作が行われた段階で、サービス部１０４およびホスト部１０５への電力供給はいずれもＯＮ状態であり、すなわち通常モード２０１に復帰したことになる。
【００６２】
最後に、ダウンモード２０４における制御について説明を行う。
【００６３】
ダウンモード２０４は上述したように、少なくともサービス部１０４およびホスト部１０５の両方が電源１１０から電源監視部１０６を通して電力供給を受けていない、すなわち電源がＯＦＦ状態にあるモードである。このときのモードの遷移は次のように行われる。
【００６４】
状態遷移２１６は、ユーザがインターフェイス部１０３を通して、ホスト機器１０１をＯＮ状態にする指令を行ったときの遷移である。このとき、インターフェイス部１０３は、電源監視部１０６にサービス部１０４に対する電力供給を開始する命令を送り、この命令を受けた電源監視部１０６は、サービス部１０４に対して電力供給を開始し、サービス部１０４への電力供給をＯＮ状態にする。さらに、インターフェイス部１０３は、サービス部１０４に対してサービス動作の開始の命令を送り、この命令を受けたサービス部１０４は、所定のサービス動作を開始する。
【００６５】
一方、インターフェイス部１０３は、ホスト部１０５に対して、ホスト動作受付を開始する命令を送り、この命令を受けたホスト部１０５は、ネットワーク１０２に接続されているターゲット機器から動作予約の受付を開始する。
【００６６】
以上の動作が行われた段階で、サービス部１０４およびホスト部１０５への電力供給はいずれもＯＮ状態であり、すなわち通常モード２０１に復帰したことになる。
【００６７】
このように、本実施の形態によれば、インターフェイス部および電源監視部の制御により、ユーザによるインターフェイス部への一度の入力に対し、ホスト部の動作状態に応じてホスト部およびサービス部への電力供給の状態をそれぞれ独立して制御できる。
【００６８】
また、記憶部の予約に応じてホスト部をスタンバイ状態にすることができる。これにより、ホスト機器の動作に際し、消費電力を削減することができる。
【００６９】
（実施の形態２）
図３は、本発明の実施の形態２によるホスト機器の構成を示す図である。図において、図１と同一符号は同一部または相当部であり、また３０１はホスト機器、３０３はインターフェイス部であり、インターフェイス部３０３において、３０３ａはリモートコントローラである。
【００７０】
上記の各部に関し、インターフェイス部３０３と、タイマー部１０７と、記憶部１０８と、通信部１０９に対しては、電源１１０あるいは、他の任意の方法で電力の供給を受けることができる。ユーザが電源状態を変更することができるのはインターフェイス部３０３であり、インターフェイス部３０３は、スタンバイ状態の指令を受け付けるためのリモートコントローラ３０３ａを有している。ただし、サービス部１０４およびホスト部１０５への電力供給がいずれもＯＦＦ状態であるダウンモード２０４においては、ユーザはリモートコントローラ３０３ａを介してホスト機器３０１を制御することはできない。
【００７１】
次に、図４は、本実施の形態２の動作における電力制御状態遷移図である。
【００７２】
これら図３および図４の２つの図を用いて、本実施の形態によるホスト機器の動作を、各モードと、各モード間の状態遷移の条件を参照しながら説明するとともに、本発明を用いた省電力スイッチ方法について説明する。ただし、本実施の形態１と重複する部分は省略し、相違点について述べる。
【００７３】
はじめに、通常モード２０１では、実施の形態１と同様、ホスト機器３０１においては、サービス部１０４と、ホスト部１０５とは、電源監視部１０６を介して電源１１０から電力供給を受けており、両者への電力供給はいずれもＯＮ状態にあり、それぞれ所定の動作を行っている。  次に、ユーザがインターフェイス部３０３のうち、リモートコントローラ３０３ａを通して、ホスト機器３０１をスタンバイ状態にする指令を行ったとき、リモートコントローラ３０３ａは、サービス部１０４にサービスの停止の命令を送り、それを受けたサービス部１０４は、サービスを停止する。さらにサービス部１０４は、電源監視部１０６に待機モードに入る命令を送り、それを受けた電源監視部１０６は、すぐにサービス部１０４が動作を開始するのに十分な電力まで、電力供給を低減させ、サービス部１０４への電力供給をスタンバイ状態にする。
【００７４】
一方、インターフェイス部３０３は、ホスト部１０５にホスト動作受付を中止する命令を送り、この命令を受けたホスト部１０５は、ネットワーク１０２に接続されているターゲット機器から新たに動作予約を受け付けないようにする。
【００７５】
さらに、インターフェイス部１０３は、ホスト部１０５に稼動状態をチェックする命令を送り、それを受けたホスト部１０５が、以下に説明する各稼働状態に応じて、モードの遷移を行う。
【００７６】
状態遷移４１１は、ホスト部１０５が、インターフェイス部３０３からチェック命令を受けた時点で、ネットワーク１０２に接続されたターゲット機器と通信を行い、該ターゲット機器を制御または監視動作をしている場合の遷移で、このとき、ホスト部１０５は、従前のまま制御または監視動作を継続する。
【００７７】
したがって、電源監視部１０６はサービス部１０４の電源はスタンバイ状態ととする一方で、ホスト部１０５への電力供給はＯＮのままに保つようにする。このときのサービス部１０４およびホスト部１０５の各電力供給の状態をサービススタンバイモード４０１と呼ぶ。
【００７８】
状態遷移４１３は、ホスト部１０５が、インターフェイス部３０３からチェック命令を受けた時点で、ネットワーク１０２に接続されたターゲット機器と通信を行っておらず、制御も監視動作も行っていないが、記憶部１０８には、すでに未来の制御または監視動作の予定が予約情報として記憶されている場合の遷移であり、このとき、ホスト部１０５は、記憶部１０８に記憶されている予約情報にてセットされている時刻まで、ターゲット機器の制御または監視動作を停止し、電力供給を制御してスタンバイ状態にするよう電源監視部１０６に伝える。この指示を受けた電源監視部１０６は、ホスト部１０５への電力供給をスタンバイ状態にする。
【００７９】
このとき、電源監視部１０６はサービス部１０４およびホスト部１０５への電力供給をいずれもスタンバイ状態としている。このときのモードをダブルスタンバイモード４０２と呼ぶ。
【００８０】
次に、サービススタンバイモード４０１における制御について説明を行う。
【００８１】
サービススタンバイモード４０１は、上述したように、少なくともホスト部１０５への電力供給はＯＮ状態、サービス部１０４への電力供給はスタンバイ状態にあるモードである。このときホスト部１０５は、以下に説明する稼働状態に応じて、モードの遷移を行う。
【００８２】
状態遷移４１２は、ユーザがインターフェイス部３０３のリモートコントローラ３０３ａを用いずに、インターフェイス部３０３へ直接ホスト機器３０１をＯＦＦ状態にする指令を行ったときの遷移である。このとき、ホスト部１０５は、ネットワーク１０２に接続されたターゲット機器と通信を行い、該ターゲット機器を制御または監視動作をしている。  インターフェイス部３０３は、電源監視部１０６にサービス部１０４に対する電力供給を停止する命令を送り、この命令を受けた電源監視部１０６は、サービス部１０４に対して電力供給を停止し、サービス部１０４への電力供給をＯＦＦ状態にする。一方、ホスト部１０５は、従前のまま制御または監視動作を継続する。したがって、電源監視部１０６はサービス部１０４への電力供給はＯＦＦとする一方で、ホスト部１０５への電力供給はＯＮ状態のままに保つ、すなわちホストモード２０２に遷移したことになる。
【００８３】
状態遷移４１６は、ユーザがインターフェイス部３０３のリモートコントローラ３０３ａを用いて、ホスト機器３０１のスタンバイ状態を解除するスタンバイ解除命令を行ったときの遷移である。このとき、インターフェイス部３０３は、電源監視部１０６にサービス部１０４に対する電力供給を開始する命令を送り、この命令を受けた電源監視部１０６は、サービス部１０４に対して電力供給を開始し、サービス部１０４への電力供給をＯＮ状態にする。さらに、インターフェイス部１０３は、サービス部１０４に対してサービス動作の開始の命令を送り、この命令を受けたサービス部１０４は、所定のサービス動作を開始する。
【００８４】
一方、ホスト部１０５は従前より動作しており、電力供給もＯＮ状態にあるので、この段階でサービス部１０４およびホスト部１０５はいずれも電源はＯＮ状態で、所定の動作を行っている、すなわち通常モード２０１に復帰したことになる。
【００８５】
状態遷移４１９は、ホスト部１０５が動作を終了し、記憶部１０８に監視または制御の予約が行われていないときの遷移である。
【００８６】
インターフェイス部３０３は、電源監視部１０６にホスト部１０５に対してすぐに動作を開始するのに充分な電力まで低減する命令を送り、この命令を受けた電源監視部１０６は、ホスト部１０５に対する電力供給を低減し、ホスト部１０５への電力供給をスタンバイ状態にする。したがって電源監視部１０６はサービス部１０４およびホスト部１０５への電力供給をいずれもスタンバイ状態のままに保つ、すなわちダブルスタンバイモード４０２に遷移したことになる。
【００８７】
次に、ダブルスタンバイモード４０２における制御について説明を行う。
【００８８】
ダブルスタンバイモード４０２は、上述したように、少なくとも電源監視部１０６は電源１１０より電力供給を受けており、サービス部１０４およびホスト部１０５のいずれの電源も、すぐに動作を開始するのに充分な電力まで低減されているスタンバイ状態にあるモードである。このときホスト部１０５は、以下に説明する稼働状態に応じて、モードの遷移を行う。
【００８９】
状態遷移４１４は、ユーザがインターフェイス部３０３を通じて、ホスト機器３０１をＯＦＦ状態にする指令を行ったときの遷移である。このとき、インターフェイス部３０３は、電源監視部１０６にサービス部１０４の電力供給を停止する命令を伝える。この命令を受けた電源監視部１０６は、サービス部１０４に対する電力供給を停止し、サービス部１０４への電力供給をＯＦＦ状態にする。一方、インタフェース部３０３は、ホスト部１０５に稼動状態をチェックする命令を送り、それを受けたホスト部１０５が、以下に説明する各稼働状態に応じて、モードの遷移を行う。
【００９０】
インターフェイス部３０３からチェック命令を受けた時点で、ネットワーク１０２に接続されたターゲット機器と通信を行っておらず、制御も監視動作も行っていないが、記憶部１０８には、すでに未来の制御または監視動作の予定が予約情報として記憶されている場合は、ホスト部１０５の電源は従前のままスタンバイ情報が保持される。
【００９１】
したがって、以上の動作が行われた段階で、サービス部１０４の電源はＯＦＦ状態、ホスト部１０５の電源はスタンバイ状態を保っており、すなわちホストスタンバイモード２０３に遷移したことになる。
【００９２】
状態遷移４１８は、記憶部１０８にに予約情報が記憶されていない場合の遷移であり、ホスト部１０５への入力状態はＯＦＦ状態となって、サービス部１０４およびホスト部１０５への電力供給が、いずれもＯＦＦ状態となる、ダウンモード２０４へ遷移する。
【００９３】
状態遷移４１５は、次のような稼働状態の遷移である。すなわち、タイマー部１０７は、記憶部１０８に記憶されている予約情報に設定された時刻になると、電源監視部１０６に対して、ホスト部１０５に完全な電力供給を開始するための命令を伝える。この命令を受けた電源監視部１０６は、ホスト部１０５に対して完全な電力供給を再開し、ホスト部１０５への電力供給をＯＮ状態にする。
【００９４】
さらに、タイマー部１０７は、ホスト部１０５に対して制御または監視動作を再開する命令を送り、この命令を受けたホスト部は、記憶部１０８の記憶する予約情報に設定されている内容の制御または監視動作を実行する。
【００９５】
この段階で、サービス部１０４への電力供給はスタンバイ状態のままであり、ホスト部１０５への電力供給はＯＮ状態であるから、すなわちサービススタンバイモード４０１に遷移したことになる。
【００９６】
状態遷移４１７は、ユーザがインターフェイス部３０３のうちリモートコントローラ３０３ａを通して、ホスト機器３０１に対しスタンバイ解除指令を行ったときの遷移である。このとき、インターフェイス部３０３は、電源監視部１０６にサービス部１０４およびホスト部１０５に対する電力供給を開始する命令を送り、この命令を受けた電源監視部１０６は、サービス部１０４およびホスト部１０５に対して電力供給を開始し、サービス部１０４およびホスト部１０５への電力供給をＯＮ状態にする。さらに、インターフェイス部３０３は、サービス部１０４に対してサービス動作の開始の命令を送り、この命令を受けたサービス部１０４は、所定のサービス動作を開始する。また、インターフェイス部３０３は、ホスト部１０５に対してホスト動作の再開の命令を送り、この命令を受けたホスト部１０５はネットワーク１０２に接続されているターゲット機器から動作予約を受けつける。
【００９７】
この段階でサービス部１０４およびホスト部１０５への電力供給はいずれもＯＮ状態で、所定の動作を行っている、すなわち通常モード２０１に復帰したことになる。
【００９８】
このように、本実施の形態によれば、インターフェイス部がスタンバイ状態の指令を受け付けるようにしたことにより、インターフェイス部および電源監視部の制御により、ホスト部に加えて、サービス部もスタンバイ状態にすることができるため、ホスト機器の動作に際し、消費電力を削減することができるとともに、ホスト機器の柔軟な運用が可能となる。
【００９９】
なお、本発明の予約動作設定手段は、実施の形態のタイマー部および記憶部であるとしたが、これに限らず、ターゲット機器とホスト手段との情報を管理してホスト手段に予約動作を行わせるものするものなら他の構成にて実現してもよい。
【０１００】
また、上記の実施の形態においては、ホスト部の動作は、ネットワークに接続された他のターゲット機器と通信、制御および監視の動作を行うとして説明を行ったが、本発明のホスト手段はこれに限定するものではなく、外部のネットワークに接続されて動作を行うものであればよく、例えば外部制御入力を受け付けるようにしてもよい。
【０１０１】
また、上記の実施の形態においては、ホスト機器は、いずれもタイマー部１０７および記憶部１０８を有するものとして説明を行ったが、本発明は、タイマー部１０７および記憶部１０８をその一例とする予約動作設定手段を省いた構成としてもよく、この場合は、上記実施の形態においては、ホストスタンバイモード２０３およびそれに関する状態遷移が省略された動作が行われる。
【０１０７】
【発明の効果】
以上のように、本発明によれば、ネットワーク上で動作する機器の動作に際し、ネットワーク制御のためのホスト機能と、ネットワーク制御とは独立したサービス機能を個別に電力制御を行うようにしたことにより、機器全体の無駄な消費電力を大幅に削減することができる。
【図面の簡単な説明】
【図１】  本発明の実施の形態１によるホスト機器の構成を示す図である。
【図２】  本発明の実施の形態１によるホスト機器の電力制御状態遷移図である。
【図３】  本発明の実施の形態２によるホスト機器の構成を示す図である。
【図４】  本発明の実施の形態２によるホスト機器の電力制御状態遷移図である。
【図５】  従来の技術によるホスト機器の構成を示す図である。
【図６】  従来の技術によるホスト機器の電力制御状態遷移図である。
【図７】  従来の技術によるホスト機器の第２例の構成を示す図である。
【図８】  従来の技術によるホスト機器の第２例の電力制御状態遷移図である。
【符号の説明】
１０１  ３０１  ホスト機器
１０２  ネットワーク
１０３  ３０３  インターフェイス部
１０４  サービス部
１０５  ホスト部
１０６  電源監視部
１０７  タイマー部
１０８  記憶部
１０９  通信部
１１０  電源
２０１  通常モード
２０２  ホストモード
２０３  ホストスタンバイモード
２０４  ダウンモード
２１１、２１２、２１３、２１４、２１５、２１６、２１７、２１８、２１９、４１１、４１２、４１３、４１４、４１５、４１６、４１７、４１８、４１９  状態遷移
３０３ａ  リモートコントローラ
４０１  サービススタンバイモード
４０２  ダブルスタンバイモード
【図１】
0004605965.tif 000002
【図２】
0004605965.tif 000003
【図３】
0004605965.tif 000004
【図４】
0004605965.tif 000005
【図５】
0004605965.tif 000006
【図６】
0004605965.tif 000007
【図７】
0004605965.tif 000008
【図８】
0004605965.tif 000009